(57)【要約】【課題】ハードディスクドライブのバースト記録方法及びこれに適した装置を提供する。【解決手段】記録チャンネル回路７０２で提供されるバーストデータに相応する第１記録電流を発生する第１記録電流発生過程と、記録チャンネル回路７０２と独立した高周波交流電流発生部７１２で第１記録電流の周波数より高周波の第２記録電流７０６を発生する第２記録電流発生過程と、バーストフィールド内でバースト記録区間及びブランク区間を表す信号に応答して、第１記録電流あるいは第２記録電流を選択的に記録ヘッド７１０に印加する過程とを含むことを特徴とするバースト記録方法である。これにより、記録チャンネル回路７０２とは独立した高周波交流電流発生部７１２で発生した高周波交流電流によって、ブランク区間（あるいはバーストの周辺部）を消去させることによって、バーストの非対称性及び歪曲発生を改善させて、サーボ制御性能を向上させることができる。【選択図】図７
2007134036.tif 000002
【特許請求の範囲】
【請求項１】
ディスク上のサーボセクタのバーストフィールドにヘッド位置制御のためのバーストを記録する、ハードディスクドライブのバースト記録方法において、
記録チャンネル回路で提供されるバーストデータに対応する第１記録電流を発生させる第１記録電流発生過程と、
前記記録チャンネル回路と独立した高周波交流電流発生部で、前記第１記録電流の周波数より高周波の第２記録電流を発生させる第２記録電流発生過程と、
前記バーストフィールド内でバースト記録区間及びブランク区間を表す信号に応答して、前記第１記録電流または前記第２記録電流を選択的に記録ヘッドに印加する過程と、
を含むことを特徴とする、バースト記録方法。
【請求項２】
前記第２記録電流発生過程は、プリアンプに内蔵された前記高周波交流電流発生部を通じて前記第２記録電流を発生させることを特徴とする、請求項１に記載のバースト記録方法。
【請求項３】
前記第２記録電流発生過程は、前記信号がブランク区間を表すときだけ第２記録電流を発生させることを特徴とする、請求項１または２のいずれかに記載のバースト記録方法。
【請求項４】
前記信号がブランク区間を表すとき、読み取りヘッドにリードバイアスが印加されないように制御する過程をさらに含むことを特徴とする、請求項１〜３のいずれかに記載のバースト記録方法。
【請求項５】
ハードディスクドライブのディスクに記録されたバーストの半径方向の周辺部を消去する方法において、
記録チャンネル回路と独立した高周波交流電流発生部で前記バーストの周波数より高周波の高周波交流電流を発生させる過程と、
消去しようとする前記周辺部で、前記高周波交流電流を記録ヘッドに印加する過程と、
を含むことを特徴とする、バースト周辺部の消去方法。
【請求項６】
前記高周波交流電流を発生させる過程は、プリアンプに内蔵された前記高周波交流電流発生部の作動を制御することを特徴とする、請求項５に記載のバースト周辺部の消去方法。
【請求項７】
前記周辺部を消去する間、読み取りヘッドにリードバイアスが印加されないように制御する過程をさらに含むことを特徴とする、請求項５または６のいずれかに記載のバースト周辺部の消去方法。
【請求項８】
バースト記録区間及びブランク区間で構成されるバーストフィールドを有するサーボセクタが形成されたディスクと、
前記バーストフィールドでバーストデータに対応する第１記録電流または前記バーストより高周波の第２記録電流によって記録動作を行うヘッドと、
前記バーストに対応する前記バーストデータを発生させる記録チャンネル回路と、
前記バーストデータに対応する前記第１記録電流を発生させるプリアンプと、
前記第２記録電流を発生させる高周波交流電流発生部と、
前記バースト記録区間及びブランク区間で前記第１記録電流及び前記第２記録電流が選択的に前記ヘッドに印加されるように制御するコントローラと、
を備えることを特徴とする、ハードディスクドライブ。
【請求項９】
前記高周波交流電流発生部は、前記プリアンプに内蔵されることを特徴とする、請求項８に記載のハードディスクドライブ。
【請求項１０】
前記コントローラは、前記ブランク区間で前記ヘッドにリードバイアスが印加されないように制御することを特徴とする、請求項８または９のいずれかに記載のハードディスクドライブ。
【発明の詳細な説明】
【技術分野】
【０００１】
本発明は、ハードディスクドライブ（ＨＤＤ：Ｈａｒｄ  Ｄｉｓｋ  Ｄｒｉｖｅ）のバースト記録方法、バースト周辺部の消去方法及びハードディスクドライブに係り、特に、バーストの非対称性及びバーストの歪曲を改善するバースト記録方法、バースト周辺部の消去方法及びハードディスクドライブに関する。
【背景技術】
【０００２】
一般的に、データ保存装置の一つであるＨＤＤは、磁気ヘッドによってディスクに記録されたデータを再生するか、またはディスクにデータを記録する。ＨＤＤの高容量化、高密度化及び小型化につれて、ディスクの回転方向の密度であるＢＰＩ（Ｂｉｔ  Ｐｅｒ  Ｉｎｃｈ）と半径方向の密度であるＴＰＩ（Ｔｒａｃｋ  Ｐｅｒ  Ｉｎｃｈ）が増大しつつある。それにより、さらに精巧な位置制御メカニズムが要求される。
【０００３】
磁気ディスク上の所望の位置で読み取り／書き込みを行うことができるように、ディスク上でのヘッドの位置制御のためのサーボ情報が必要である。
【０００４】
図１は、ディスクに形成されたサーボセクタの構成を示す図である。
【０００５】
図１に示すように、サーボセクタ１００は、プリアンブルフィールド１０２、サーボアドレス／インデックスマーク（ＳＡＭ／ＳＩＭ）フィールド１０４、グレイコードフィールド１０６、及びバーストフィールド１０８で構成される。プリアンブルは、サーボセクタ前のギャップを置いて一定のタイミングマージン及びＡＧＣ（Ａｕｔｏｍａｔｉｃ  Ｇａｉｎ  Ｃｏｎｔｒｏｌ）を通じて利得を決定するのに提供される。サーボアドレスマーク（ＳＡＭ）は、サーボセクタの開始を示し、サーボインデックスマーク（ＳＩＭ）は、ディスクの１回転情報を提供する。グレイコードは、トラック番号及びセクタ番号を提供し、バーストは、トラックの中央からのヘッドの位置情報を得るために利用される。通常、４バースト方式、すなわち、４種のバーストＡ、Ｂ、Ｃ、Ｄを使用してヘッドの位置制御を行う方式が多く使われる。
【０００６】
図２は、ディスク上に記録されたバーストを示す図である。図２に示すように、４種のバーストＡ、Ｂ、Ｃ、Ｄは、トラック方向及び半径方向にそれぞれ異なる位置に記録される。例えば、図２に示すように、Ｎ番目のトラックには、Ａ、Ｃ、及びＤバーストが記録され、Ｎ＋１番目のトラックには、Ｂ、Ｃ、及びＤバーストが記録される。そして、Ｎ番目のトラックにおいて、Ａバーストは、トラック中心と一致するように配置されるが、Ｃバース及びＤバーストは、１／２トラックほど外周側及び内周側にシフトされて配置される。また、Ｎ＋１番目のトラックにおいて、Ｂバーストは、トラック中心と一致するように配置されるが、Ｃバース及びＤバーストは、１／２トラックほど内周側及び外周側にシフトされている。ここで、Ｎ番目のトラック及びＮ＋１番目のトラックにおいて、Ｃバース及びＤバーストのシフトされる方向が互いに異なることが分かる。
【０００７】
バーストを含むサーボ情報をディスクに記録する工程を、サーボトラックライト工程という。サーボ情報をディスクに記録する方式としては、オフラインサーボトラックライト（Offline Servo Track Write：Offline  ＳＴＷ）方式やレファレンスサーボトラックコピー（Reference Servo Track Copy）方式などがよく知られている。
【０００８】
一方、バーストの半径方向の非対称性及びバーストの歪曲を改善するために、バーストの周辺部、すなわち、半径方向の両端周辺部を消去する技術が紹介されている。例えば、特許文献１には、バーストの両端周辺部を直流電流によって消去する技術が提示されており、これを直流消去方式という。
【０００９】
直流消去方式は、より詳細には、ポジティブ消去方式とネガティブ消去方式とに区分され、両者は、消去のための磁場が互いに反対方向である。
【００１０】
直流消去方式とは違って高周波交流電流によって消去する交流消去方式もある。交流消去方式は、バーストの周波数より高い周波数、例えば、２倍以上の周波数を有する高周波交流電流によってバーストの周辺部を消去する。
【００１１】
図３は、直流消去方式及び交流消去方式による改善効果を示すグラフである。図３において、１はポジティブ消去方式、２はネガティブ消去方式、３は交流消去方式によるバースト軌跡を示す。図３に示されたグラフにおいて、縦軸は、ヘッドを通じて読み取られたバースト信号の大きさを示し、横軸は、トラック中心からのオフセットを示す。図３を参照すれば、ポジティブ消去方式、ネガティブ消去方式、交流消去方式の順にバーストの線形性が良いということが分かる。すなわち、交流消去方式による非対称性及び歪曲の改善性能が他の方式に比べて良い。
【００１２】
特に、垂直磁気記録（Perpendicular Magnetic Recording：ＰＭＲ）では、読み取りヘッドのリードバイアスが記録ヘッドの残留磁気により影響されることを防ぐために、交流消去方式を使用することが望ましい。
【００１３】
図４は、従来の交流消去方式の概略を示すブロック図である。図４を参照すると、記録チャンネル回路４０２は、バーストフィールドでバーストデータ４０４及び高周波交流データ４０６を発生してプリアンプ４０８に提供する。プリアンプ４０８は、バーストデータ４０４あるいは高周波交流データ４０６に相応する記録電流を発生して記録ヘッド４１０に提供する。
【００１４】
図４を参照して分かるように、従来の交流消去方式では、バーストに相応するバーストデータと高周波交流電流に相応する高周波交流データとをいずれも記録チャンネル回路で発生させている。
【００１５】
ＨＤＤにおいて、バーストの周波数は、ディスクに記録されうるデータの最大周波数に該当する２Ｔ（ここで、Ｔは最大記録周波数の周期）である。また、記録チャンネル回路及びプリアンプの動作特性は、最大記録周波数の周期Ｔに合わせてある。したがって、記録チャンネル回路で発生できる高周波交流データ４０６の周波数は、バースト周波数の２倍であるＴ程度が限界となる。
【００１６】
【特許文献１】特開平０９−０６３２１７号公報
【発明の開示】
【発明が解決しようとする課題】
【００１７】
記録密度が増加するにつれて、バースト周辺部の消去のための高周波交流電流の周波数が、バースト周波数の２倍より高くなることが要求される。しかし、従来の交流消去方式では、前述したような記録チャンネル回路及びプリアンプの限界によって、このような要求に応えることは難しいという問題点がある。
【００１８】
また、記録チャンネル回路でさらに高い周波数の高周波交流データを発生させるためには、高周波の記録／再生が可能なメモリ、高周波のクロック信号発生器などが必要なため、製造コストの増加が避けられない。
【００１９】
そこで、本発明は、上記問題に鑑みてなされたものであり、本発明の目的とするところは、バーストの非対称性及びバーストの歪曲を改善し、サーボ制御性能を向上させることが可能な、新規かつ改良されたバースト記録方法を提供することにある。
【課題を解決するための手段】
【００２０】
上記課題を解決するために、本発明のある観点によれば、ディスク上のサーボセクタのバーストフィールドにヘッド位置制御のためのバーストを記録する方法において、記録チャンネル回路で提供されるバーストデータに対応する第１記録電流を発生させる第１記録電流発生過程と、記録チャンネル回路と独立した高周波交流電流発生部で、第１記録電流の周波数より高周波の第２記録電流を発生させる第２記録電流発生過程と、バーストフィールド内でバースト記録区間及びブランク区間を表す信号に応答して、第１記録電流または第２記録電流を選択的に記録ヘッドに印加する過程と、を含むハードディスクドライブのバースト記録方法が提供される。
【００２１】
また、第２記録電流発生過程は、プリアンプに内蔵された高周波交流電流発生部を通じて第２記録電流を発生させるようにしてもよい。
【００２２】
また、第２記録電流発生過程は、上記の信号がブランク区間を表すときだけ第２記録電流を発生させるようにしてもよい。
【００２３】
また、上記の信号がブランク区間を表すとき、読み取りヘッドにリードバイアスが印加されないように制御する過程をさらに含むようにしてもよい。
【００２４】
また、上記課題を解決するために、本発明の別の観点によれば、ハードディスクドライブのディスクに記録されたバーストの半径方向の周辺部を消去する方法において、記録チャンネル回路と独立した高周波交流電流発生部でバーストの周波数より高周波の高周波交流電流を発生させる過程と、消去しようとする周辺部で、高周波交流電流を記録ヘッドに印加する過程と、を含むバースト周辺部の消去方法が提供される。
【００２５】
また、高周波交流電流を発生させる過程は、プリアンプに内蔵された高周波交流電流発生部の作動を制御するようにしてもよい。
【００２６】
また、周辺部を消去する間、読み取りヘッドにリードバイアスが印加されないように制御する過程をさらに含むようにしてもよい。
【００２７】
また、上記課題を解決するために、本発明の別の観点によれば、バースト記録区間及びブランク区間で構成されるバーストフィールドを有するサーボセクタが形成されたディスクと、バーストフィールドでバーストデータに対応する第１記録電流またはバーストより高周波の第２記録電流によって記録動作を行うヘッドと、バーストに対応するバーストデータを発生させる記録チャンネル回路と、バーストデータに対応する第１記録電流を発生させるプリアンプと、第２記録電流を発生させる高周波交流電流発生部と、バースト記録区間及びブランク区間で第１記録電流及び第２記録電流が選択的にヘッドに印加されるように制御するコントローラと、を備えるハードディスクドライブが提供される。
【００２８】
また、高周波交流電流発生部は、プリアンプに内蔵されるようにしてもよい。
【００２９】
また、コントローラは、ブランク区間でヘッドにリードバイアスが印加されないように制御するようにしてもよい。
【発明の効果】
【００３０】
以上説明したように本発明によれば、本発明によれば、バーストの非対称性及び歪曲発生を改善させ、サーボ制御性能を向上させることができる。
【発明を実施するための最良の形態】
【００３１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３２】
ＨＤＤは、機構的な部品から構成されたＨＤＡ（Ｈｅａｄ  Ｄｉｓｋ  アセンブリ）と電気回路との結合によって構成される。
【００３３】
図５は、本発明が適用されるＨＤＤのＨＤＡ１０の構成を示す。ＨＤＡ１０は、スピンドルモータ１４によって回転する少なくとも一枚の以上の磁気ディスク１２を備えている。ＨＤＡ１０は、ディスク表面に隣接して位置する少なくとも一つ以上のヘッド１６を備える。
【００３４】
ヘッド１６は、磁気ディスク１２の磁界を感知して磁化させることによって、回転する磁気ディスク１２から情報を読み取り、または、磁気ディスク１２に情報を記録することができる。一般的に、ヘッド１６は、磁気ディスク１２に結合されている。図５には単一のヘッドとして示されているが、磁気ディスク１２を磁化させるための記録ヘッドと、磁気ディスク１２の磁界を感知するための読み取りヘッドとから構成されていると理解されなければならない。読み取りヘッドは、磁気抵抗（ＭＲ：Ｍａｇｎｅｔｏ−Ｒｅｓｉｓｔｉｖｅ）素子から構成される。
【００３５】
ヘッド１６は、スライダー２０に統合されうる。スライダー２０は、ヘッド１６と磁気ディスク１２との間に空気軸受を生成させる構造となっている。スライダー２０は、ヘッドスタックアセンブリ（Head Stack Assembly：ＨＳＡ）２２に結合されている。ヘッドスタックアセンブリ２２は、ボイスコイル２６を有するアクチュエータアーム２４に付着されている。ボイスコイル２６は、それと共にボイスコイルモータ（Voice Coil Motor：ＶＣＭ）３０を特定する磁気アセンブリ２８に隣接して位置している。ボイスコイル２６に供給される電流は、軸受アセンブリ３２を軸にしてアクチュエータアーム２４を回転させるトルクを発生させる。アクチュエータアーム２４の回転によって、ヘッド１６は、磁気ディスク１２を横切って移動する。
【００３６】
情報は、一般的に、磁気ディスク１２の環状トラック３４に保存される。トラック３４は、一般的に複数のサーボセクタ及びデータセクタを備えている。データセクタは、隣接したサーボセクタの間に位置する。サーボセクタの構成は、図１に示して説明した通りである。
【００３７】
図６は、図２に示すようなバーストを記録する過程を示す図である。
【００３８】
バーストは、記録ヘッドを半径方向に１／２トラックずつ移動させながら記録される。図６を参照すると、磁気ディスク１２の外周（図６の上側）から内周（図６の下側）への方向に記録ヘッドを１／２トラックずつ移動させながらバーストを記録する。バーストＡ〜Ｄは、一般的に同じ周波数を有する。バーストフィールドは、バーストが記録されるバースト記録区間６０２及びバーストが記録されないブランク区間６０４で構成される。バーストフィールド内でバースト記録区間６０２及びブランク区間６０４の位置は、トラック及びバーストの種類によって異なる。また、ブランク区間６０４では、高周波交流信号による消去動作が行われ、このような消去動作によってバーストの半径方向の周辺部が消去される。
【００３９】
第１の段階において、記録ヘッドを１番トラックの上側（１で表記された位置）に追従させながら、バーストを記録する。すなわち、Ｃバースト６０２ｃ１の位置にバーストを記録すると共に、ブランク区間６０４を高周波交流電流によって消去する。第２の段階において、記録ヘッドを１番トラックの下側（１'で表記された位置）に追従させながら、Ａバースト記録区間６０２ａ１及びＣバースト記録区間６０２ｃ２にバーストを記録すると共に、ブランク区間６０４を高周波交流電流によって消去する。第３の段階において、記録ヘッドを２番トラックの上側（２で表記された位置）に追従させながら、Ａバースト記録区間６０２ａ２及びＤバースト記録区間６０２ｄ１にバーストを記録すると共に、ブランク区間６０４を高周波交流電流によって消去する。第４の段階において、記録ヘッドを２番トラックの上側（２'で表記された位置）に追従させながら、Ｂバースト記録区間６０２ｂ１及びＤバースト記録区間６０２ｄ２にバーストを記録すると共に、ブランク区間６０４を高周波交流電流によって消去する。
【００４０】
このように記録ヘッドの半径方向の位置、バースト記録区間６０２、及びブランク区間６０４を変更させながら、繰り返してバースト記録区間６０２ａ、６０２ｂ、６０３ｃ、６０２ｄにそれぞれのバーストＡ〜Ｄを記録する。
【００４１】
図６を参照すれば、ブランク区間６０４における消去動作によってバーストＡ〜Ｄの半径方向の周辺部が消去されることが分かる。このような消去動作によりバーストの半径方向の非線形性及びバーストの歪曲が改善される。
【００４２】
図７は、本発明によるバースト記録方法を概略的に示すブロック図である。図７を参照すると、記録チャンネル回路７０２は、バースト記録区間６０２でバーストに相応するバーストデータ７０４を発生してプリアンプ７０８に提供する。一方、高周波交流電流発生部７１２は、ブランク区間６０４で高周波交流電流７０６を発生してプリアンプ７０８に提供する。
【００４３】
プリアンプ７０８は、バーストデータ７０４に相応する電流、すなわち、第１記録電流を発生し、第１記録電流あるいは高周波交流電流発生部７１２で発生する高周波交流電流７０６、すなわち、第２記録電流７０６を選択的に記録ヘッド７１０に提供する。実際に、記録ヘッド７１０には、バーストデータ７０４及び第２記録電流７０６に該当する差動電流が印加される。
【００４４】
図７を参照して分かるように、本実施形態にかかるバースト記録方法では、ブランク区間６０４で消去動作を行うために必要な第２記録電流７０６を、記録チャンネル回路７０２に対して独立した高周波交流電流発生部７１２で発生させている。
【００４５】
これにより、記録チャンネル回路及びプリアンプの特性に関係なく、消去動作のために使われる第２記録電流７０６の周波数を決定することができる。
【００４６】
また、本発明によれば、記録チャンネル回路が高周波の高周波交流データを発生するための高速記録／再生のためのメモリ、高周波数のクロック信号発生のためのクロック発生器などを備える必要がなくなり、製造コストが節減される。
【００４７】
本発明のバースト記録方法を実施するために、高周波交流電流発生部７１２を記録チャンネル回路７０２及びプリアンプ７０８に対して独立的に構成することができるが、プリアンプ７０８に内蔵されるように構成することが望ましい。
【００４８】
特に、プリアンプ７０８が消磁（degaussing）機能を有するものであれば、本発明は、プリアンプ７０８に内蔵された消磁用の交流信号発生部を利用して簡単に具現できる。
【００４９】
消磁機能は、記録動作が終了した後、記録ヘッドの残留磁気を消去することによって、読み取り動作あるいは次の記録動作に支障を与えないようにするためのものである。すなわち、記録動作が終了した後、プリアンプで短時間に記録ヘッドに順次に小さくなる高周波数の交流電流を流すことにより、記録ヘッドを消磁させる。本発明の実施形態によれば、プリアンプによるこのような消磁機能が、ブランク区間での消去に活用される。
【００５０】
図８は、消磁機能を有するプリアンプの動作を示す波形図である。図８の（ａ）は、記録制御信号、図８の（ｂ）は、記録電流、そして図８の（ｃ）は、リードバイアス信号を示す。ここで、記録制御信号は、データの記録／再生を制御する信号であり、リードバイアス制御信号は、データ再生のために読み取りヘッド、すなわち、磁気抵抗ヘッド（図示せず）に印加されるリードバイアスの印加を制御するための信号である。
【００５１】
図８を参照すると、記録動作が終了した後、所定時間の間に次第に小さくなる電流（消磁電流）８０２が記録ヘッドに印加されることが分かる。
【００５２】
図９は、本実施形態にかかるバースト記録方法を行うプリアンプの動作を示す波形図である。ここで、プリアンプは、消磁機能を有するものである。
【００５３】
図９の（ａ）は、バースト記録制御信号、（ｂ）は、バーストデータ、（ｃ）は、記録電流、そして（ｄ）は、リードバイアス制御信号をそれぞれ示す。
【００５４】
図９の（ａ）に示すバースト記録制御信号は、バースト記録区間８０３及びブランク区間８０４を表す。
【００５５】
図９を参照すると、本実施形態にかかるバースト記録方法において、ブランク区間８０４で消磁電流９０２を小さくしていないことが分かる。すなわち、ブランク区間８０４で消磁電流９０２あるいは消磁機能を持続的に維持させることにより、消去動作を行う。さらに、リードバイアス制御信号に従って、ブランク区間８０４でリードバイアスを読み取りヘッドに印加させないことにより、読み取りヘッドを保護する。
【００５６】
図１０は、本発明の一実施形態にかかるＨＤＤの電気回路を示す図である。
【００５７】
図１０に示すように、本発明によるディスクドライブは、磁気ディスク１２、ヘッド１６、プリアンプ１０１０、記録／読み出しチャンネル１０２０、バッファ１０３０、コントローラ１０４０、ＲＯＭ１０５０Ａ、ＲＡＭ１０５０Ｂ、ホストインターフェース１０６０、及びＶＣＭ駆動部１０７０を備える。
【００５８】
プリアンプ１０１０には、消去用の高周波交流電流発生部１０１０ａが含まれている。
【００５９】
ＲＯＭ１０５０Ａには、図１０に示された電気的回路１０００を制御するファームウェア及び制御情報が保存されており、ＲＡＭ１０５０Ｂには、ドライブ駆動の初期にＲＯＭ１０５０Ａまたは磁気ディスク１２から読み出したディスクドライブ駆動に必要な情報が保存される。
【００６０】
コントローラ１０４０は、ホストインターフェース１０６０を通じてホスト機器から受信される命令を分析し、分析された結果に相応する制御を実行する。
【００６１】
まず、一般的なＨＤＤの動作を説明すれば、次の通りである。
【００６２】
データ読み取りモードにおいて、ＨＤＤは、磁気ディスク１２からヘッド１６によって感知された電気的な信号を、信号処理が容易になるようにプリアンプ１０１０で増幅させる。その後、記録／読み出しチャンネル１０２０では、増幅されたアナログ信号をホスト機器（図示せず）が読み出しできるデジタル信号に符号化させ、ストリームデータに変換してバッファ１０３０に一時保存させた後、ホストインターフェース１０６０を通じてホスト機器に伝送する。
【００６３】
次に、書き込みモードにおいて、ＨＤＤは、ホストインターフェース１０６０を通じてホスト機器（図示せず）からデータを入力されてバッファ１０３０に一時保存させた後、バッファ１０３０に保存されたデータを順次に出力して記録／読み出しチャンネル１０２０によって記録チャンネルに適した二進データストリームに変換させた後、プリアンプ１０１０によって増幅された記録電流をヘッド１６を通じて磁気ディスク１２に記録させる。
【００６４】
一方、バースト記録モードにおける動作は、次の通りである。
【００６５】
バースト記録区間６０２においてバーストＡ、Ｂ、Ｃ、Ｄが記録され、ブランク区間６０４において高周波交流電流を印加して消去されるように、コントローラ１０４０は、プリアンプ１０１０及び高周波交流電流発生部１０１０ａを制御する。
【００６６】
具体的には、コントローラ１０４０は、バースト記録区間６０２では、プリアンプ１０１０で発生した第１記録電流を選択してヘッド１６に提供し、ブランク区間６０４では、高周波交流電流発生部１０１０ａで発生した第２記録電流を選択してヘッド１６に提供する。それと共に、コントローラ１０４０は、読み取りヘッドにリードバイアスが印加されないようにして読み取りヘッドを保護する。
【００６７】
以上説明したように、本発明によれば、記録チャンネル回路とは独立した高周波交流電流発生部で発生した高周波交流電流によって、ブランク区間（あるいはバーストの周辺部）を消去することで、バーストの非対称性及び歪曲発生を改善させ、サーボ制御性能を向上させることができる。
【００６８】
本発明は、方法、装置、システムとして実行されてもよい。ソフトウェアとして実行される場合、本発明の構成手段は、必然的に必要な作業を実行するコードセグメントである。プログラムまたはコードセグメントは、プロセッサ判読可能媒体に保存され、または伝送媒体または通信網で搬送波と結合されたコンピュータデータ信号によって伝送されてもよい。プロセッサ判読可能媒体は、情報を保存または伝送できるいかなる媒体も含む。プロセッサ判読可能媒体の例としては、電子回路、半導体メモリ素子、ＲＯＭ、フラッシュメモリ、ＥＲＯＭ（Ｅｒａｓａｂｌｅ ＲＯＭ）、フレキシブルディスク、光ディスク、ハードディスク、光ファイバ媒体、無線周波数（ＲＦ）網などがある。コンピュータデータ信号は、電子網チャンネル、光ファイバ、空気、電子系、ＲＦ網のような伝送媒体上に伝播されるいかなる信号も含まれる。
【００６９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。すなわち、本発明は、ＨＤＤを備える各種ディスクドライブに適用されるだけでなく、多様な種類のデータ保存装置に適用されることが可能であるということは言うまでもない。
【産業上の利用可能性】
【００７０】
本発明は、ＨＤＤ関連の技術分野に好適に用いられる。
【図面の簡単な説明】
【００７１】
【図１】ディスクに形成されたサーボセクタの構成を示す図である。
【図２】ディスク上に記録されたバーストを示す図である。
【図３】直流消去方式及び交流消去方式による改善効果を示すグラフである。
【図４】従来の交流消去方式の概略を示すブロック図である。
【図５】本発明が適用されるＨＤＤのＨＤＡの構成を示す図である。
【図６】図２に示すようなバーストを記録する過程を示す図である。
【図７】本実施形態にかかるバースト記録方法を概略的に示すブロック図である。
【図８】消磁機能を有するプリアンプの動作を示す波形図である。
【図９】本実施形態にかかるバースト記録方法を行うプリアンプの動作を示す波形図である。
【図１０】本発明の一実施形態にかかるＨＤＤの電気回路を示す図である。
【符号の説明】
【００７２】
１０    ＨＤＡ
１２    磁気ディスク
１４    スピンドルモータ
１６    ヘッド
２０    スライダー
２２    ヘッドスタックアセンブリ
２４    アクチュエータアーム
２６    ボイスコイル
２８    磁気アセンブリ
３０    ボイスコイルモータ
３２    軸受アセンブリ
３４    トラック
６０２、６０２ａ、６０２ｂ、６０３ｃ、６０２ｄ、８０３  バースト記録区間
６０４、８０４    ブランク区間
７０２    記録チャンネル回路
７０４    バーストデータ
７０６    高周波交流電流（第２記録電流）
７０８、１０１０  プリアンプ
７１０    記録ヘッド
７１２、１０１０ａ  高周波交流電流発生部
８０２、９０２  消磁電流
１０００    電気的回路
１０２０    記録／読み出しチャンネル
１０３０    バッファ
１０４０    コントローラ
１０５０Ａ    ＲＯＭ
１０５０Ｂ    ＲＡＭ
１０６０    ホストインターフェース
１０７０    ＶＣＭ駆動部
【図１】
2007134036.tif 000003
【図２】
2007134036.tif 000004
【図３】
2007134036.tif 000005
【図４】
2007134036.tif 000006
【図５】
2007134036.tif 000007
【図６】
2007134036.tif 000008
【図７】
2007134036.tif 000009
【図８】
2007134036.tif 000010
【図９】
2007134036.tif 000011
【図１０】
2007134036.tif 000012